【手続補正書】
【提出日】平成19年9月10日(2007.9.10)
【手続補正１】
【補正対象書類名】明細書
【補正対象項目名】発明の名称
【補正方法】変更
【補正の内容】
【発明の名称】情報端末
【手続補正２】
【補正対象書類名】明細書
【補正対象項目名】特許請求の範囲
【補正方法】変更
【補正の内容】
【特許請求の範囲】
【請求項１】  閲覧ソフトによりハイパーテキストを閲覧する情報端末であって、
前記ハイパーテキストを表示した画面上のカーソルの位置を操作するための入力デバイスによる操作を判別する判別手段と、
前記判別手段により判別された前記入力デバイスの操作により指定された前記カーソルの位置を認識する認識手段と、
前記認識手段により認識された前記カーソルの位置がハイパーテキストのホットスポットが表示されている位置の場合は、該ホットスポットのリンクにジャンプし、前記カーソルの位置が前記ホットスポットの位置でない場合は、前記閲覧ソフトを操作するためのボタンと該ボタンの表示領域とを表示し、前記カーソルが前記表示領域の外に移動すると、前記ボタンと前記表示領域の表示を非活性化する表示制御手段と、
を有することを特徴とする情報端末。
【請求項２】  前記入力デバイスは、前記カーソルの少なくとも４つの移動の方向を指示する機能、前記カーソルの現在の位置を指定位置として決定する機能に対応する複数のスイッチを含み、前記認識手段は、前記指定位置を決定するためのスイッチが短時間にＯＮ／ＯＦＦされた場合に前記カーソルの位置を認識することを特徴とする請求項１記載の情報端末。
【請求項３】  前記入力デバイスは、前記カーソルの上下の移動の方向を指示する１つのシャトルスイッチと、左右の移動の方向を指示する１つのシャトルスイッチを含み、少なくとも１つの前記シャトルスイッチは前記カーソルの現在位置を指定位置として決定する機能に対応することを特徴とする請求項１記載の情報端末。
【請求項４】  前記入力デバイスは、前記カーソルの２つの移動の方向を指示する機能と前記カーソルの現在位置を指定位置として決定する機能とに対応する１つのシャトルスイッチと、１つのタクトスイッチを含み、前記シャトルスイッチを操作した場合には前記カーソルの左右の方向の移動を指示し、前記タクトスイッチとシャトルスイッチを操作した場合には前記カーソルの上下の方向の移動を指示することを特徴とする請求項１記載の情報端末。
【請求項５】  前記入力デバイスは、前記カーソルの２つの移動の方向を指示する機能と前記カーソルの現在位置を指定位置として決定する機能とに対応する１つのシャトルスイッチと、１つのタクトスイッチを含み、前記シャトルスイッチを操作した場合には前記カーソルの上下の移動を指示し、前記タクトスイッチとシャトルスイッチを操作した場合には前記カーソルの左右の方向の移動を指示することを特徴とする請求項１に記載の情報端末。
【請求項６】  前記入力デバイスは、前記カーソルの上下の方向の移動距離を入力する１つのエンコーダと、左右の方向の移動距離を入力する１つのエンコーダを含み、少なくとも１つの前記エンコーダは前記カーソルの現在位置を指定位置として決定する機能に対応することを特徴とする請求項１に記載の情報端末。
【請求項７】  前記入力デバイスは、前記カーソルの２つの方向の移動距離を入力する機能と前記カーソルの現在位置を指定位置として決定する機能とに対応する１つのエンコーダと、１つのタクトスイッチを含み、前記エンコーダを回転させた場合には前記カーソルの上下の方向の移動距離を入力し、前記タクトスイッチとエンコーダとを操作した場合には前記カーソルの左右の方向の移動距離を入力することを特徴とする請求項１記載の情報端末。
【請求項８】  前記入力デバイスは、前記カーソルの２つの方向の移動距離を入力する機能と前記カーソルの現在位置を指定位置として決定する機能とに対応する１つのエンコーダと、１つのタクトスイッチを含み、前記エンコーダを回転させた場合には前記カーソルの左右の方向の移動距離を入力し、前記タクトスイッチとエンコーダとを操作した場合には前記カーソルの上下の方向の移動距離を入力することを特徴とする請求項１記載の情報端末。
【請求項９】  前記ボタンは、前記閲覧ソフトを操作するための複数のボタンにより構成され、各ボタンに対応する操作は、前記ボタンが指定されると実行されることを特徴とする請求項１乃至請求項８の何れかに記載の情報端末。
【請求項１０】  前記入力デバイスの操作により移動したカーソルの形状は、前記ホットスポットの位置か否かにより変わることを特徴とする請求項１乃至請求項９の何れかに記載の情報端末。
【請求項１１】  前記カーソルは、前記ボタンの表示領域ではボタンを単位としてボタンからボタンに移動し、又は、前記ボタンの表示領域の外では、画素を単位として移動することを特徴とする請求項１乃至請求項１０の何れかに記載の情報端末。
【請求項１２】  前記ボタンは、画面をスクロールさせるためのボタン、履歴リストの中の１つ前又は１つ後のファイルを表示させるためのボタン、現在のＵＲＬを再度読み込みさせるためのボタン、データ読み込みを停止させるためのボタン、初期のホームページを表示させるためのボタンの少なくとも１つを含むことを特徴とする請求項１乃至請求項１１の何れかに記載の情報端末。
【請求項１３】  前記表示制御手段は、前記ボタンと該ボタンの表示領域とを、前記入力デバイスの操作による前記カーソルの指定位置の近傍に表示することを特徴とする請求項１乃至請求項１２の何れかに記載の情報端末。
【手続補正３】
【補正対象書類名】明細書
【補正対象項目名】０００１
【補正方法】変更
【補正の内容】
【０００１】
【発明の属する技術分野】
本発明は、インターネットなどのネットワークに接続してＨＴＭＬ（Ｈｙｐｅｒ  Ｔｅｘｔ  Ｍａｒｋｕｐ  Ｌａｎｇｕａｇｅ）  文書を閲覧可能な情報端末に関する。
【手続補正４】
【補正対象書類名】明細書
【補正対象項目名】００１１
【補正方法】変更
【補正の内容】
【００１１】
本発明は、このような背景の下になされたもので、その課題は、ハイパーテキストを閲覧するための閲覧ソフトを簡単に操作することができるようにすることにある。
【手続補正５】
【補正対象書類名】明細書
【補正対象項目名】００１２
【補正方法】変更
【補正の内容】
【００１２】
【課題を解決するための手段】
上記課題を解決するため、本発明は、閲覧ソフトによりハイパーテキストを閲覧する情報端末であって、前記ハイパーテキストを表示した画面上のカーソルの位置を操作するための入力デバイスによる操作を判別する判別手段と、前記判別手段により判別された前記入力デバイスの操作により指定された前記カーソルの位置を認識する認識手段と、前記認識手段により認識された前記カーソルの位置がハイパーテキストのホットスポットが表示されている位置の場合は、該ホットスポットのリンクにジャンプし、前記カーソルの位置が前記ホットスポットの位置でない場合は、前記閲覧ソフトを操作するためのボタンと該ボタンの表示領域とを表示し、前記カーソルが前記表示領域の外に移動すると、前記ボタンと前記表示領域の表示を非活性化する表示制御手段と、を有することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００７０
【補正方法】変更
【補正の内容】
【００７０】
【発明の効果】
以上説明したように、本発明によれば、パーソナルコンピュータ用に作成されたハイパーテキストを閲覧するための閲覧ソフトを簡単に操作することが可能となる。